(57)【要約】【課題】  選択すべき対象の形を考慮するとき、丸干し片口鰯や海老などのようにその大きさ別に選別できる物品を効果的に選別することにより、選別の効率を向上させることが可能な選別機、選別機用選別板及び選別機用供給部を提供する。【解決手段】  振動手段を備えるケースと、前記ケースの一端に配置され、投入された選別物品を前記選別板に落下させる供給部とを含み、前記ケース内に離隔間隔を置いて互いに上下の層状に配列される少なくとも２つ以上の選別板を含んで構成され、各前記選別板に、開口面積が下側の前記選別板に行くほど段階的もしくは連続的に小さくなる複数の選別孔が穿設され、落下した前記選別物品を大きさ別に分離できるようになした選別機である。【選択図】図１
2005087986.tif 000002
【特許請求の範囲】
【請求項１】
振動手段を備えるケースと、
前記ケースの一端に配置され、投入された選別物品を前記選別板に落下させる供給部と
を含み、
前記ケース内に離隔間隔を置いて互いに上下の層状に配列される少なくとも２つ以上の選別板を含んで構成され、
各前記選別板に、開口面積が下側の前記選別板に行くほど段階的もしくは連続的に小さくなる複数の選別孔が穿設され、落下した前記選別物品を大きさ別に分離できるようになした、選別機。
【請求項２】
前記選別孔は、前記選別物品が通過して下方に落下する或いは前記選別物品が掛止しつつ前記ケースの他端方向に移動する、細長開口を有する複数の案内区間と、
各前記案内区間の一端部に設けられ、該案内区間の最大幅に比べて大きい開口径を有する落下区間と、
互いに隣接した前記落下区間を相互連通させる連通区間と
を有するもので、
前記案内区間、落下区間及び連通区間のうちの少なくとも一つは下側の前記選別板に行くほど開口面積が小さくなるように形成されることを特徴とする請求項１に記載の選別機。
【請求項３】
前記案内区間の開口面積、前記案内区間の長さ及び前記連通区間の開口面積は下側の前記選別板に行くほど大きさが小さくなるように設けられ、前記落下区間は下側の前記選別板に行くほど前記開口径が段々小さくなるように或いは同一に設けられることを特徴とする請求項２に記載の選別機。
【請求項４】
前記落下区間が複数の前記選別板にわたって同一の大きさで設けられ、下側の前記選別板に行くほど各前記選別孔を構成する前記案内区間、落下区間及び連通区間の個数が段々少なくなることを特徴とする請求項２又は３に記載の選別機。
【請求項５】
前記案内区間が直線形テーパーパターン又は波形テーパーパターンであることを特徴とする請求項２〜４のいずれか１項に記載の選別機。
【請求項６】
前記案内区間が直線形テーパーパターンであり、前記案内区間が前記ケースの一端から他端にかけて広くなる形状を有し、１°〜３°のテーパー角を有することを特徴とする請求項５に記載の選別機。
【請求項７】
各前記選別孔における前記落下区間及び前記連通区間は、前記ケースの一端から他端にかける方向に直交の方向に沿って直線形に整列配置されるか、或いは円弧状に配置されることを特徴とする請求項２〜６のいずれか１項に記載の選別機。
【請求項８】
前記供給部は、
前記選別物品が投入される空間部、及び下部に設けられ前記選別物品を排出させる排出部からなるホッパー型のハウジングと、
前記空間部内に投入された前記選別物品が絡み合ったり凝集したりすることを阻止する凝集阻止手段と
を有することを特徴とする請求項１〜７のいずれか１項に記載の選別機。
【請求項９】
前記凝集阻止手段は、
前記ハウジングの一側内面から斜め下方に延出された傾斜部と、
前記傾斜部の端部から水平方向に沿って延出され、通孔を有する横長部と、
前記横長部に層状に配置され、前記ハウジングの他側内面から近接離反自在に連結されているダンパー部と、
前記横長部と前記ダンパー部とを連結するための調節部材と
を含むことを特徴とする請求項８に記載の選別機。
【請求項１０】
前記他側内面から所定の長さだけ突出したリブが、前記ダンパー部の上方に位置して設けられていることを特徴とする請求項９に記載の選別機。
【請求項１１】
前記ケースは、前記選別板の配置空間を間にして互いに離れている一対のケース部からなっており、前記一対のケース部の間には前記一対のケース部の相互離隔を阻止するクランプ部材が設けられていることを特徴とする請求項１〜１０のいずれか１項に記載の選別機。
【請求項１２】
前記ケース部には、前記ケース内に層状に配列された各前記選別板に作業者の手が挿入できる少なくとも一つの手挿入孔を設けてあることを特徴とする請求項１１に記載の選別機。
【請求項１３】
請求項１〜１２のいずれか１項に記載の選別機に用いられる前記選別板であって、該選別機に着脱可能に取り付けられる選別機用選別板。
【請求項１４】
請求項１〜１２のいずれか１項に記載の選別機に装着され、
前記選別物品が投入される空間部、及び下部に設けられ前記選別物品を排出させる排出部からなるホッパー型のハウジングと、
前記空間部内に投入された前記選別物品が絡み合ったり凝集したりすることを阻止する凝集阻止手段と
を有することを特徴とする選別機用供給部。
【請求項１５】
前記凝集阻止手段は、
前記ハウジングの一側内面から斜め下方に延出された傾斜部と、
前記傾斜部の端部から水平方向に沿って延出され、通孔を有する横長部と、
前記横長部に層状に配置され、前記ハウジングの他側内面から近接離反自在に連結されているダンパー部と、
前記横長部と前記ダンパー部とを連結するための調節部材と
を含むことを特徴とする請求項１４に記載の選別機用供給部。
【発明の詳細な説明】
【技術分野】
【０００１】
本発明は、選別機、選別機用選別板及び選別機用供給部に関し、さらに詳しくは、選択すべき対象の形を考慮するとき、丸干し片口鰯や海老などのようにその大きさ別に選別できる物品を効果的に選別することにより、選別の効率を向上することが可能な選別機、選別機用選別板及び選別機用供給部に関する。
【背景技術】
【０００２】
選別機とは、品質又は規格などによって、量産された部品や製品、物品等の全体数量検査を行って不良品を選び出すか、同品質、同種類或いは同サイズを有するものを分類して選別する装置である。
【０００３】
選別機は、選別しようとする種類によって様々に分けられるが、その代表的な例として穀物選別機というものが公知になっている。穀物選別機は、収穫した穀物中に含まれた未熟粒、被害粒などの不完全粒と、藁屑、土、小石、雑草、草種などの異物とを除去する機械であって、異物の大きさ、形状、比重などが互いに異なる点を用いて選別する。この際、採用できるものにはスクリーン選別機、溝選別機、気流選別機、比重選別機、磁力選別機などがあるが、その中でもスクリーン選別機が最も多く用いられる。
【０００４】
スクリーン選別機は、鉄板又はプラスチック板を穿孔してなるスクリーンを多層設置した構造であって、スクリーン孔の寸法が層別にそれぞれ異なり、スクリーンが揺動する。この揺動するスクリーン上を穀物が流下しながら粒子のサイズによって完全粒、不完全粒及び異物に分離される。
【０００５】
このようにスクリーンを用いた選別機は、単に穀物の選別にのみ局限されず、例えば丸干し片口鰯を大鰯、中鰯、小鰯、細鰯などの大きさ別に選別しようとする場合にもうまく使用できる。
【０００６】
本出願人は、選択すべき対象の形を考慮するとき、丸干し片口鰯や海老などのようにその大きさ別に選別できる全てのもの（以下、「選別物品」という）を選別し且つその選別の効率を向上させることを可能にした選別機を開発することに至った。
【０００７】
その上、供給部の構造を改善することにより、最初選別物品が供給される供給部内で選別物品が凝集せず効果的に選別板に落下することにより、選別時間の短縮を可能にするうえ、選別機に取り付けられる各選別板を容易に着脱可能にして選別板の掃除作業も容易に行えるようにした。
【発明の開示】
【発明が解決しようとする課題】
【０００８】
したがって、本発明の目的は、選択すべき対象の形を考慮するとき、丸干し片口鰯や海老などのようにその大きさ別に選別できる物品を効果的に選別することにより、選別の効率を向上することが可能な選別機、選別機用選別板及び選別機用供給部を提供することにある。
【０００９】
また、本発明の他の目的は、供給部の構造を改善することにより、最初選別物品が供給される供給部内で選別物品が凝集せず効果的に選別板に落下できるようにして選別時間を短縮させることが可能な選別機、選別機用選別板及び選別機用供給部を提供することにある。
【００１０】
また、本発明のさらに他の目的は、各選別板を容易に着脱可能にして選別板の掃除作業も容易に行うことが可能な選別機、選別機用選別板及び選別機用供給部を提供することにある。
【課題を解決するための手段】
【００１１】
上記目的は、振動手段を備えるケースと、前記ケースの一端に配置され、投入された選別物品を前記選別板に落下させる供給部とを含み、前記ケース内に離隔間隔を置いて互いに上下の層状に配列される少なくとも２つ以上の選別板を含んで構成され、各前記選別板に、開口面積が下側の前記選別板に行くほど段階的もしくは連続的に小さくなる複数の選別孔が穿設され、落下した前記選別物品を大きさ別に分離できるようになした選別機によって達成される。
【００１２】
ここで、選別孔は、前記選別物品が通過して下方に落下する或いは前記選別物品が掛止しつつ前記ケースの他端方向に移動する、細長開口を有する複数の案内区間と、各前記案内区間の一端部に設けられ、該案内区間の最大幅に比べて大きい開口径を有する落下区間と、互いに隣接した前記落下区間を相互連通させる連通区間とを有するもので、前記案内区間、落下区間及び連通区間のうちの少なくとも一つは下側の前記選別板に行くほど開口面積が小さくなるように形成できる。
【００１３】
前記案内区間の開口面積、前記案内区間の長さ及び前記連通区間の開口面積は下側の前記選別板に行くほど大きさが小さくなるように設けられ、前記落下区間は下側の前記選別板に行くほど前記開口径が段々小さくなるように或いは同一に設けられることができる。
【００１４】
前記落下区間が複数の前記選別板にわたって同一の大きさで設けられ、下側の前記選別板に行くほど各前記選別孔を構成する前記案内区間、落下区間及び連通区間の個数が段々少なくなることが有利である。
【００１５】
前記案内区間は、直線形テーパーパターン又は波形テーパーパターンにすることができる。
【００１６】
前記案内区間が直線形テーパーパターンであり、前記案内区間が前記ケースの一端から他端にかけて広くなる形状を有し、１°〜３°のテーパー角を有することが有利である。
【００１７】
各前記選別孔における前記落下区間及び前記連通区間は、前記ケースの一端から他端にかける方向に直交の方向に沿って直線形に整列配置されるか、或いは円弧状に配置することができる。
【００１８】
一方、前記供給部は、前記選別物品が投入される空間部、及び下部に設けられ前記選別物品を排出させる排出部からなるホッパー型のハウジングと、前記空間部内に投入された前記選別物品が絡み合ったり凝集したりすることを阻止する凝集阻止手段とを有する。
【００１９】
この際、前記凝集阻止手段としては、前記ハウジングの一側内面から斜め下方に延出された傾斜部と、前記傾斜部の端部から水平方向に沿って延出され、通孔を有する横長部と、前記横長部に層状に配置され、前記ハウジングの他側内面から近接離反自在に連結されているダンパー部と、前記横長部と前記ダンパー部とを連結するための調節部材とを含む。
【００２０】
前記他側内面から所定の長さだけ突出したリブが、前記ダンパー部の上方に位置して設けられ得る。
【００２１】
前記ケースは、前記選別板の配置空間を間にして互いに離れている一対のケース部からなっており、前記一対のケース部の間には前記一対のケース部の相互離隔を阻止するクランプ部材が設けられている。
【００２２】
前記ケース部には、前記ケース内に層状に配列された各前記選別板に作業者の手が挿入できる少なくとも一つの手挿入孔を設けてある。
【００２３】
一方、前記目的は、前記選別機に用いられる前記選別板であって、該選別機に着脱可能に取り付けられる選別機用選別板によっても達成される。
【００２４】
また、前記目的は、前記選別機に装着されるもので、前記選別物品が投入される空間部、及び下部に設けられ前記選別物品を排出させる排出部からなるホッパー型のハウジングと、前記空間部内に投入された前記選別物品が絡み合ったり凝集したりすることを阻止する凝集阻止手段とを有する選別機用供給部によっても達成される。
【００２５】
ここで、前記凝集阻止手段は、前記ハウジングの一側内面から斜め下方に延出された傾斜部と、前記傾斜部の端部から水平方向に沿って延出され、通孔を有する横長部と、前記横長部に層状に配置され、前記ハウジングの他側内面から近接離反自在に連結されているダンパー部と、前記横長部と前記ダンパー部とを連結するための調節部材とを含むことができる。
【発明の効果】
【００２６】
本発明によれば、選択すべき対象の形を考慮するとき、丸干し片口鰯や海老などのようにその大きさ別に選別できる物品を効果的に選別することにより、選別の効率を向上することができる。
【００２７】
また、本発明によれば、供給部の構造を改善することにより、最初選別物品が供給される供給部内において物品が凝集することなく効果的に選別板に落下することができて選別時間を短縮させることができる。
【００２８】
また、本発明によれば、装置された各選別板の容易な着脱を可能にして選別板の掃除作業を簡単に行うことができる。
【発明を実施するための最良の形態】
【００２９】
以下、添付図面に基づいて本発明の各実施例を詳細に説明する。
【００３０】
（第１実施例）
本発明の第１実施例に係る選別機は、丸干し片口鰯や海老などのようにその大きさ別に選別できる物品を選別するものである。下記では選別物品を丸干し片口鰯として説明する。
【００３１】
図１は本発明の第１実施例に係る選別機の斜視図、図２は図１に示した選別機の概略的な部分側面図である。図示したように、本発明の第１実施例に係る選別機は、ケース１０と、ケース１０内に所定の間隔を置いて互いに上下の層状に配列される第１〜第４選別板４１〜４４と、ケース１０の一端に配置され、投入された丸干し片口鰯を第１選別板４１に向かって落下させる供給部３０と、ケース１０の他端、つまり丸干し片口鰯の進行方向に対して第１〜第４選別板４１〜４４の後尾に配置され、当該選別板によって選別された大鰯、中鰯、小鰯、細鰯など大きさ別に移送させる第１〜第４シュート部６１〜６４と、ケース１０を地面に対して弾性的に緩衝可能に支持する支持部２０とを有する。
【００３２】
ケース１０は、本選別機の外観を形成する部分であって、図示したように、一定の厚さを有する板状の金属材が互いに離れた一対のケース部１０ａ、１０ｂからなっている。そして、一対のケース部１０ａ、１０ｂの上側には、一対のケース部１０ａ、１０ｂの相互離隔を阻止するクランプ部材１５が設けられている。
【００３３】
クランプ部材１５は、一対のケース部１０ａ、１０ｂを相互連結する連結バー１５ａと、連結バー１５ａの両端から一対のケース部１０ａ、１０ｂの上端フランジに向かって締結される締結ボルト１５ｂとから構成されている。このため、締結ボルト１５ｂを締結或いは締結解除することにより、容易に連結バー１５ａを装着又は装着解除することができるため、第１〜第４選別板４１〜４４の容易な着脱が可能である。
【００３４】
一方、丸干し片口鰯を選別する過程で、第１〜第４選別板４１〜４４に設けられた第１〜第４選別孔５１〜５４に丸干し片口鰯が挟まって抜けない場合、作業者が強制的に抜き取らなければならないが、最上側に配置された第１選別板４１は外部に露出しているため、第１選別孔５１に挟まった丸干し片口鰯であれば容易に抜き取ることができる。
【００３５】
ところが、第２〜第４選別板４２〜４４は、ケース１０内に取り付けられているため、第１選別板４１を除去しなければ、第２〜第４選別板４２〜４４の第２〜第４選別孔５２〜５４に挟まった丸干し片口鰯を抜き取ることが難しい。
【００３６】
よって、本発明の選別機では、ケース１０の一側板面に、つまりケース部１０ａに、ケース１０内に上下の層状に配列された第２〜第４選別板４２〜４４に作業者の手が挿入できる複数の手挿入孔１３を穿設してある。したがって、丸干し片口鰯の選別過程中、丸干し片口鰯を含んで異物が第２〜第４選別孔５２〜５４に挟まって抜けなければ、手挿入孔１３に手を入れて容易に丸干し片口鰯を強制的に除去することができる。また、異物によって第２〜第４選別板４２〜４４が汚染した場合、手挿入孔１３を介して容易に掃除することができる。
【００３７】
図１に示すように、一対のケース部１０ａ、１０ｂの板面には、本選別機に振動を与えるための振動手段１７が備えられている。第１実施例では振動手段１７として振動モータを採用している。
【００３８】
振動モータは、印加電源によって第１〜第４選別板４１〜４４を含んで選別機全体を上下方向に振動させることにより、供給部３０から第１選別板４１に供給された丸干し片口鰯が大きさ別に落下しながら、第２〜第４選別板４２〜４４によって選別できるようにする。
【００３９】
支持部２０は、本選別機を地面に対して安定的に支持する一方、振動手段１７によって選別機に印加される振動がより円滑になされるようにする。
【００４０】
このような支持部２０は、ケース１０の下部を支持する水平フレーム２１と、水平フレーム２１の四つ角領域に配置される垂直フレーム２２と、垂直フレーム２２の下端に設けられたホイール２３と、両端が垂直フレーム２２の上端とケース１０の延長フランジ１２にそれぞれ配置され、上下方向の衝撃を緩衝する緩衝部材２５とからなる。
【００４１】
ホイール２３は本選別機を所望の作業位置に容易に移動させるために設けられるものである。このホイール２３には所定の位置でホイール２３の移動を停止させるためのブレーキ２４が設けられている。
【００４２】
したがって、ホイール２３を用いて選別機を所定の位置に移動させた後、ブレーキ２４を掛けてホイール２３の移動を拘束する。その後、供給部３０に丸干し片口鰯を投入させるとともに振動手段１７を稼動させると、振動手段１７によって第１〜第４選別板４１〜４４が振動することにより丸干し片口鰯が大きさ別に選別される。
【００４３】
この際、支持部２０の緩衝部材２５も振動手段１７と共に上下に揺動することにより、第１〜第４選別板４１〜４４に対する振動効果を倍加させる。勿論、選別効率の向上のために第１〜第４選別板４１〜４４は供給部３０領域より第１〜第４シュート部６１〜６４領域が低く配置されることが有利であるが、このような構成を備えない場合、ホイール２３にその高低を調節可能な手段を設けることも一つの実施例になることができる。高低調節方法は通常の冷蔵庫などに適用されたものをそのまま転用することができるので、別途に説明しない。
【００４４】
第１〜第４選別板４１〜４４の後尾に配置された第１〜第４シュート部６１〜６４は、当該選別板を介して大鰯、中鰯、小鰯、細鰯など大きさ別に選別された丸干し片口鰯をそれぞれ互いに異なる方向に移動させるために設けられる。したがって、第１〜第４シュート部６１〜６４は、ケース１０の各位置に一体に溶接することも、着脱式に製造して作業者がその方向を適切に調節できるようにすることも可能である。
【００４５】
図３は図１に示した供給部の拡大斜視図、図４は図３の断面図である。図示したように、本発明の第１実施例に係る選別機は既存の選別機に比べて改善された構造の供給部３０をもっている。
【００４６】
公知の一般的な供給部（図示せず）は、その内部に選別対象の丸干し片口鰯を投入させるための漏斗状を有するものに過ぎなかった。この場合、供給部（図示せず）内に投入された多量の丸干し片口鰯の第１選別板４１への落下が容易でなく、供給部（図示せず）内の一側（シュート部側）に集中して絡み合ったり凝集したりする。
【００４７】
もし丸干し片口鰯に湿気が存在すれば、このような現象はさらに激しくなるので、選別効率が低下するうえ、選別時間も長くなり、作業者が供給部（図示せず）内で凝集した丸干し片口鰯を一々分離する煩わしい作業を並行しなければならない。
【００４８】
このため、本選別機では次のように構造が改善された供給部３０を採用している。本発明の第１実施例に係る選別機で採用している供給部３０は、図３及び図４に示すように、内部に選別対象の丸干し片口鰯が投入される空間部３２、及び下端に設けられ、丸干し片口鰯を第１選別板４１に落下排出させる排出部３３を有するホッパー型のハウジング３１と、ハウジング３１の空間部３２内に投入された丸干し片口鰯が絡み合ったり凝集したりすることを阻止する凝集阻止手段３５とからなる。
【００４９】
ハウジング３１は排出部３３の形成領域に比べて上部領域が拡大された漏斗と類似の形状を有する。そして、丸干し片口鰯の選別方向に対して第１〜第４選別板４１〜４４に隣接しているハウジング３１の一側壁３１ａは他側壁３１ｂに比べて相対的に高くする。
【００５０】
これは、図３に示すように、振動によって「０」方向に丸干し片口鰯が実質的に移動する過程で供給部３０の上部に丸干し片口鰯が零れることを阻止するためである。一方、ハウジング３１の他側内面３１ｄからは、所定の長さだけ突出したリブ３４（不図示）が、ダンパー部３５ｄの上方に位置して設けられている。リブ３４を設けることにより、ハウジング３１の空間部３２内に投入された丸干し片口鰯が絡み合ったり凝集したりすることを阻止することができる。
【００５１】
凝集阻止手段３５は、ハウジング３１の一側内面３１ｃから斜め下方に延出された傾斜部３５ａと、傾斜部３５ａの端部から水平方向に沿って延出され、傾斜部３５ａとの間に通孔３５ｃを有する横長部３５ｂと、板面に「０」方向と同一の長孔３５ｅが設けられ、横長部３５ｂに層状に配置され、露出端がハウジング３１の他側内面３１ｄから近接離反自在に連結されているダンパー部３５ｄと、横長部３５ｂとダンパー部３５ｄとを一体に固定させる一方、ダンパー部３５ｄで通孔３５ｃの開度を調節できるように横長部３５ｂを通過してダンパー部３５ｄの長孔３５ｅに締結される調節部材３５ｆとからなる。
【００５２】
よって、ハウジング３１内の空間部３２に選別対象の丸干し片口鰯を投入した後、第１〜第４シュート部６１〜６４側に丸干し片口鰯の進行方向が設定された振動手段１７を稼動して供給部３０に振動を与えると、ハウジング３１内に投入された丸干し片口鰯は、最初「Ｉ」方向に１次誘導されてダンパー部３５ｄとハウジング３１の他側内面３１ｄとの間の空間を介して移動した後、さらに「０」方向に２次誘導されてハウジング３１の排出部３３を介して第１選別板４１に落下する。
【００５３】
したがって、選別しようとする丸干し片口鰯がより円滑かつ容易に第１選別板４１に落下できる。空間部３２内に少量の丸干し片口鰯が落下しないで残存する場合には、調節部材３５ｆを解いてダンパー部３５ｄを介して通孔３５ｃの開度を大きくした後、さらに調節部材３５ｆを締め付けることにより、残った丸干し片口鰯を広くなった通孔３５ｃを介して完全に排出できる。
【００５４】
一方、図５は図１の選別機に採用された第１〜第４選別板４１〜４４の第１〜第４選別孔５１〜５４を示した図、図６は図５に示した第１選別孔５１に丸干し片口鰯が挟まった状態を示す図である。説明の便宜のために、第１〜第４選別孔５１〜５４の各位置別構成にはそれぞれ第１〜第４という修飾語を付して説明する。
【００５５】
第１〜第４選別孔５１〜５４は、丸干し片口鰯を大きさ別にそれぞれ大鰯、中鰯、小鰯、細鰯などに選別するためのもので、第１〜第４選別板４１〜４４にそれぞれ複数個設けられている。
【００５６】
勿論、図１には、第１選別板４１とその板面に設けられた複数の第１選別孔５１のみが示されているが、第２〜第４選別板４２〜４４にも第１選別孔５１と類似の形状を有する第２〜第４選別孔５２〜５４が設けられていることは推測することができる。
【００５７】
そして、第１〜第４選別孔５１〜５４は、丸干し片口鰯が第１〜第４選別孔５１〜５４に挟まることなく、丸干し片口鰯を容易に選別するための所定の規則的な形状と大きさをもっているが、これについては、第１〜第４選別孔５１〜５４を一つずつ示した図５を参照して説明する。
【００５８】
第１〜第４選別孔５１〜５４はそれぞれ、当該丸干し片口鰯を通過させて下方の選別板に落下させる或いは丸干し片口鰯が掛止しつつ前記ケースの他端方向、つまり第１〜第４シュート部６１〜６４側に移動させるための細長開口を有する複数の第１〜第４案内区間５１ａ〜５４ａと、複数の第１〜第４案内区間５１ａ〜５４ａの一端部に設けられ、当該案内区間の最大幅に比べて大きい開口径を有する複数の第１〜第４落下区間５１ｂ〜５４ｂと、互いに隣接した複数の第１〜第４落下区間５１ｂ〜５４ｂを相互連通させる複数の第１〜第４連通区間５１ｃ〜５４ｃとからなる。第１〜第４案内区間５１ａ〜５４ａに形成された最大直径は、第１〜第４落下区間５１ｂ〜５４ｂと接する領域についていう。
【００５９】
このように第１〜第４選別孔５１〜５４を第１〜第４案内区間５１ａ〜５４ａ、第１〜第４落下区間５１ｂ〜５４ｂ及び第１〜第４連通区間５１ｃ〜５４ｃから構成した理由は、丸干し片口鰯の如く胴体に比べて頭部が相対的に大きい全ての物品を効果的に選別できるようにするためである。
【００６０】
第１〜第４落下区間５１ｂ〜５４ｂを連結する方向に丸干し片口鰯が配置されて移動する場合、これを下方に落下させるために第１〜第４連通区間５１ｃ〜５４ｃを形成しているが、第１〜第４案内区間５１ａ〜５４ａ、第１〜第４落下区間５１ｂ〜５４ｂ及び第１〜第４連通区間５１ｃ〜５４ｃのうち、実質的に丸干し片口鰯が選別されるところは第１〜第４案内区間５１ａ〜５４ａと第１〜第４落下区間５１ｂ〜５４ｂである。
【００６１】
一方、第１〜第４案内区間５１ａ〜５４ａの開口面積及び長さ５１Ｌ〜５４Ｌと第１〜第４連通区間５１ｃ〜５４ｃの開口面積は、下側の選別板に行くほどその大きさを段々小さくする。ところが、第１〜第４落下区間５１ｂ〜５４ｂの開口径は下側の選別板に行くほど大きさを段々小さくし或いは同一にすることができる。なぜなら、丸干し片口鰯は、大きさ別に比較してみれば、大体頭部の大きさは類似であるが、胴体のサイズは相違するためである。
【００６２】
実施例を示した図５によれば、第１選別孔５１を除いた第２〜第４選別孔５２〜５４の第２〜第４落下区間５２ｂ〜５４ｂの大きさは同一になっており、第１落下区間５１ｂに比べてはその大きさが小さくなっている。ところが、これは一つの実施例に過ぎないので、第１〜第４落下区間５１ｂ〜５４ｂの大きさは段々小さくし或いは同一にすることができる。
【００６３】
図５のように、第１落下区間５１ｂを除いた第２〜第４落下区間５２ｂ〜５４ｂが第２〜第４選別板４２〜４４に同一の大きさで形成されると、当然、第２〜第４案内区間５２ａ〜５４ａ、第２〜第４落下区間５２ｂ〜５４ｂ、第２〜第４連通区間５２ｃ〜５４ｃは下側の選別板に行くほどその個数が減少する。これは、図５を参照すると、第２〜第４選別孔５２〜５４において、第２〜第４落下区間５２ｂ〜５４ｂにおける選別孔の横の長さと、第２〜第４案内区間５２ａ〜５４ａのそれぞれと、対応の第２〜第４連通区間５２ｃ〜５４ｃとから成る開口部の縦の長さとが類似していると好ましいからである。
【００６４】
第１〜第４選別孔５１〜５４の第１〜第４案内区間５１ａ〜５４ａは、丸干し片口鰯の選別進行方向に並んで直線形テーパーパターンを有する。このような場合、丸干し片口鰯の進行方向、つまりケース１０の一端から他端にかけて広くなる形状をもつが、図５に示すように、１°〜３°のテーパー角θを有することが好ましい。勿論、実際に使用された例をみれば、２°内外でテーパー角θを形成することがより有利であった。
【００６５】
そして、図５のように、第１〜第４案内区間５１ａ〜５４ａが直線形テーパーパターンを有する場合、第１〜第４落下区間５１ｂ〜５４ｂと第１〜第４連通区間５１ｃ〜５４ｃは丸干し片口鰯の選別進行方向、つまりケース１０の一端から他端にかける方向に直交の方向に直線形に整列配置される。
【００６６】
次に、このような構成を有する本選別機を用いて丸干し片口鰯を大鰯、中鰯、小鰯，細鰯など大きさ別に選別することについて説明する。
【００６７】
まず、ホイール２３を用いて選別機を所定の位置に移動させた後、ブレーキ２４を掛けてホイール２３の作動を拘束する。その後、ハウジング３１内に丸干し片口鰯を投入し、丸干し片口鰯が第１〜４シュート部６１〜６４側に移動するように振動手段１７を作動させる。振動手段１７が作動すると、支持部２０の緩衝部材２５によって供給部３０及び第１〜第４選別板４１〜４４に与えられる振動は倍加できる。
【００６８】
選別機が振動し始めると、ハウジング３１内に投入された丸干し片口鰯は、図３の最初「Ｉ」方向に１次誘導されてダンパー３５ｄとハウジング３１の他側内面３１ｄとの間の空間を介して移動した後、さらに「０」方向に２次誘導されてハウジング３１の排出部３３を介して第１選別板４１に落下する。
【００６９】
その後、大鰯、中鰯、小鰯及細鰯のうち、中鰯、小鰯及細鰯はそれぞれ第１選別板４１の第１選別孔５１を介して下方に落下し、落下しなかった大鰯のみが振動方向に移動して第１シュート部６１を介して収集される。
【００７０】
小鰯又は細鰯の場合には第１選別孔５１を介して落下するのに無理がないこともあるが、非常に曲がった形状を有する小鰯又は細鰯、或いは中鰯の場合には第１選別孔５１の各位置に挟まる可能性がある。
【００７１】
図６は丸干し片口鰯が最もよく挟まる形状を示す図であって、第１案内区間５１ａの下部に丸干し片口鰯の胴体部分が挟まっており、丸干し片口鰯の頭部は上方に捲れあがっている。
【００７２】
図６のように、中鰯、小鰯及び細鰯であるにも拘らず、第１選別孔５１の第１案内区間５１ａに挟まる場合、加わる連続的な振動によって第１案内区間５１ａに挟まった丸干し片口鰯は第１シュート部６１側に向かって移動する。容易に移動可能な理由は、第２〜第４案内区間５２ａ〜５４ａを始めとして第１案内区間５１ａが第１シュート部６１側に向かって広くなるテーパー角θを持つためである。
【００７３】
移動しながら第１案内区間５１ａに挟まった丸干し片口鰯の方向が変わると、第１案内区間５１ａを介しても下方に落下させることができる。一方、第１シュート部６１側に向かって移動し続けた場合には、第１案内区間５１ａを経て、第１案内区間５１ａの最大幅より大きい開口径を有する第１落下区間５１ｂに到達し、始めて第２選別板４２に落下する。
【００７４】
この際、図６のような態様で挟まらず、第１案内区間５１ａの長手方向に対して横方向に寝て移動する丸干し片口鰯が存在すれば、これも振動によって移動過程で第１落下区間５１ｂ及び第１連通区間５１ｃを介してそのまま落下させることができる。
【００７５】
同様に、大鰯を除いた中鰯、小鰯及び細鰯が第２選別板４２に落下すると、小鰯及び細鰯を除いた中鰯は、第２選別孔５２を介して抜けないため、振動方向に沿って第２シュート部６２に収集される。
【００７６】
そして、小鰯及び細鰯であるにも拘らず、その形状によって第２選別孔５２の第２案内区間５２ａに挟まる場合、連続的な振動によって第２案内区間５２ａに挟まった丸干し片口鰯は第２シュート部６２側に向かって移動する。その後、第２案内区間５２ａを経て、第２案内区間５２ａの最大幅より大きい第２落下区間５２ｂに到達し、始めて第３選別板４３に落下する。この際、第２案内区間５２ａの長手方向に対して横方向に寝て移動する丸干し片口鰯が存在すれば、これも振動によって移動過程で第２落下区間５２ｂ及び第２連通区間５２ｃを介してそのまま落下させることができる。
【００７７】
次に、中鰯を除いた小鰯及び細鰯が第３選別板４３に落下すると、細鰯を除いた小鰯は第３選別孔５３を介して抜けないため、振動方向に沿って第３シュート部６３に収集される。
【００７８】
そして、細鰯であるにも拘らず、その形状によって第３選別孔５３の第３案内区間５３ａに挟まる場合、連続的な振動によって第３案内区間５３ａに挟まった丸干し片口鰯は第３シュート部６３側に向かって移動する。その後、第３案内区間５３ａを経て、第３案内区間５３ａの最大幅より大きい第３落下区間５３ｂに到達し、始めて第４選別板４４に落下する。この際、第３案内区間５３ａの長手方向に対して横方向に寝て移動する丸干し片口鰯が存在すれば、これも振動によって移動過程で第３落下区間５３ｂ及び第３連通区間５３ｃを介してそのまま落下させることができる。
【００７９】
同様の方式で細鰯も、第４選別板４４を介して第４シュート部６４に移動して収集される。
【００８０】
丸干し片口鰯の選別過程中、振動にも拘らず丸干し片口鰯を含んで異物が第２〜第４選別孔５２〜５４に挟まって抜けなければ、手挿入孔１３に手を入れて、当該選別孔に挟まった丸干し片口鰯及び異物を容易に除去すれば済む。
【００８１】
このように、本発明の第１実施例の選別機によれば、選択すべき対象の形を考慮するとき、丸干し片口鰯や海老のようにその大きさ別に選別できる物品を効果的に選別することにより、選別の効率を向上させることができる。
【００８２】
また、供給部３０の構造が改善されることにより、最初選別物品が供給される供給部３０内で選別物品が凝集せず効果的に選別板４１に落下させることができるため、選別時間が短縮され且つ手間が減少するという利点がある。
【００８３】
そして、各選別板４１〜４４の容易な着脱を可能にし、選別板４１〜４４の掃除作業を容易にすることができるという効果がある。
【００８４】
（第２〜第５実施例）
前述した第１実施例では、第１〜第４案内区間５１ａ〜５４ａが直線形のテーパーパターンを有し、第１〜第４落下区間５１ｂ〜５４ｂ及び第１〜第４連通区間５１ｃ〜５４ｃも丸干し片口鰯の進行方向、つまりケース１０の一端から他端にかけて直交の方向に沿って直線形に整列配置されていることを記述した。
【００８５】
ところが、本発明の第２実施例を示した図７ａの第１選別孔２５１を参照するとき、第１案内区間２５１ａは第１実施例と同様の直線形テーパーパターンを有するが、第１落下区間２５１ｂ及び連通区間２５１ｃは丸干し片口鰯の進行方向に対して円弧状に配置される。
【００８６】
そして、第３実施例を示した図７ｂの第１選別孔３５１によれば、第１案内区間３５１ａは、第１実施例と同様の直線形テーパーパターンを有するが、第１落下区間３５１ｂ及び連通区間３５１ｃは丸干し片口鰯の進行方向に対して波形に配置される。
【００８７】
一方、本発明の第４実施例を示した図７ｃの第１選別孔４５１によれば、第１案内区間４５１ａは、第１実施例とは異なり、波形テーパーパターンを有し、第１落下区間４５１ｂ及び連通区間４５１ｃは丸干し片口鰯の進行方向に対して円弧状に配置される。
【００８８】
そして、本発明の第５実施例を示した図７ｄの第１選別孔５５１によれば、第１案内区間５５１ａは、第４実施例と同様の波形テーパーパターンを有し、第１落下区間５５１ｂ及び連通区間５５１ｃは丸干し片口鰯の進行方向に対して波形に配置される。
【００８９】
勿論、図７ｃ及び図７ｄの場合のように、第１案内区間４５１ａ、５５１ａが波形テーパーパターンを有すると、テーパー角θを定めることはできないが、丸干し片口鰯の進行方向に対して段々広くなるテーパーパタンを有することは第１実施例と同様である。
【００９０】
したがって、図７ａ〜図７ｄに示した各種の選別孔を第１〜第４選別板４１〜４４に設け、これを用いて丸干し片口鰯を選別しても、前記の効果を充分提供することができる。
【００９１】
第２〜第５実施例では代表的に第１選別孔２５１〜５５１についてのみ示しているが、前述した第１実施例の規則にしたがって第２〜第４選別孔も形は同一でありながらも大きさが調整できる形状を十分把握することができる。
【００９２】
以上、図面を参照して本発明について詳細に説明したが、本発明はこれに制限されるものではない。
【００９３】
前述した実施例では、選別物品を丸干し片口鰯として説明しているが、海老、或いは小さい魚類を始めとし、丸干し片口鰯のように胴体に比べて頭部が相対的に大きいいずれの物品にも適用可能なのは勿論である。
【００９４】
前述した実施例では、選別板を合計４つにして説明しているが、選別板の個数は選択すべき選別物品の量と大きさによって２つ、３つ或いは５つ以上にすることができる。
【００９５】
前述した実施例では、振動手段として振動モータを採用している。ところが、振動モータの他にも、振動手段として振動圧電素子或いはアクチュエータなどを適用することができる。
【００９６】
前述した実施例では、供給部がホッパー型のハウジングと、ハウジングに設けられた凝集阻止手段とから構成されているが、供給部を通常のコンベヤーで代替することもできる。この場合、ハウジング及び凝集阻止手段は必要とされないこともある。
【００９７】
前述した実施例では、複数の落下区間は下側の選別板に行くほど大きさが段々小さくなると説明した。この際、小さくなる範囲は非常に細かい。
【図面の簡単な説明】
【００９８】
【図１】本発明の第１実施例に係る選別機の斜視図である。
【図２】図１に示した選別機の概略的な部分側面図である。
【図３】図１に示した供給部の拡大斜視図である。
【図４】図３の断面図である。
【図５】図１の選別機に採用された第１〜第４選別板の第１〜第４選別孔を示す図である。
【図６】図５に示した第１選別孔に丸干し片口鰯が挟まった状態を示す図である。
【図７ａ】本発明の第２実施例に係る選別孔を示す図である。
【図７ｂ】本発明の第３実施例に係る選別孔を示す図である
【図７ｃ】本発明の第４実施例に係る選別孔を示す図である
【図７ｄ】本発明の第５実施例に係る選別孔を示す図である
【符号の説明】
【００９９】
１０：ケース
１２：延長フランジ
１３：手挿入孔
１５：クランプ部材
１７：振動手段
２０：支持部
２３：ホイール
２５：緩衝部材
３０：供給部
３１：ハウジング
３２：空間部
３３：排出部
３５：凝集阻止手段
４１〜４４：第１〜第４選別板
５１〜５４：第１〜第４選別孔
５１ａ〜５４ａ：第１〜第４案内区間
５１ｂ〜５４ｂ：第１〜第４落下区間
５１ｃ〜５４ｃ：第１〜第４連通区間
６１〜６４：第１〜第４シュート部
【図１】
2005087986.tif 000003
【図２】
2005087986.tif 000004
【図３】
2005087986.tif 000005
【図４】
2005087986.tif 000006
【図５】
2005087986.tif 000007
【図６】
2005087986.tif 000008
【図７ａ】
2005087986.tif 000009
【図７ｂ】
2005087986.tif 000010
【図７ｃ】
2005087986.tif 000011
【図７ｄ】
2005087986.tif 000012